(57)【要約】      （修正有）【課題】水槽底部の底床に、水草をキズ付けることなく、また浮かせることなく、容易に保持させることができ、さらに繊細なレイアウトでの植え込みも可能な、水草移植具を提供する。【解決手段】水草４を保持し、水槽５の底床６に埋設される板材２と、板材２から上方に突出しピンセット７で挟持される突起３と、からなる水草移植具１であって、板材２が、水草４を挿通、係止させる穴と、側面から穴まで連通する切れ込みを備え、また板材２及び突起３の素材が、生分解性プラスチックであり、生分解性プラスチックに、粉末又は粒状の水草用肥料が混在している水草移植具の構成とした。【選択図】図５
0003223684.tif 000002
【実用新案登録請求の範囲】
【請求項１】
水草を保持し、水槽の底床に埋設される板材と、
前記板材から上方に突出しピンセットで挟持される突起と、
からなることを特徴とする水草移植具。
【請求項２】
前記板材が、水草を挿通、係止させる穴と、側面から前記穴まで連通する切れ込みを備えることを特徴とする請求項１に記載の水草移植具。
【請求項３】
前記板材及び突起の素材が、生分解性プラスチックであることを特徴とする請求項１又は請求項２に記載の水草移植具。
【請求項４】
前記生分解性プラスチックに、粉末又は粒状の水草用肥料が混在していることを特徴とする請求項３に記載の水草移植具。
【考案の詳細な説明】
【技術分野】
【０００１】
本考案は、水槽底部に敷かれる素材、例えば砂、砂利、ガラス等の底床に、水草をキズ付けることなく、また浮かせることなく、容易に保持させることができ、さらに繊細なレイアウトでの植え込みも可能な水草移植具に関する。
【背景技術】
【０００２】
従来の水草移植具とはしては、特許文献１の水草固定器具などが公開されている。特許文献１の発明は、
「水槽内において水草を固定・植栽するための水槽用水草固定器具であって、
相対する横長長方形の可撓性樹脂シートからなる本体底辺中央外側方向に水平に張出した安定板を設け、本体内側に表面を波型に加工したスポンジを貼り付け、その本体二つをスポンジの波形面どうしを接して相対させ本体の左右両端を張合わせ、スポンジの波形面により形成された水草挟み部に水草を挟み込む構造とし、
本体を片手で挟むことにより水草挟み部を自在に開閉できるため、ピンセット等の道具を使う必要がなく一度に多量の水草を傷つけずに固定することができ、水槽内の砂や壁面に容易に植栽でき、水草の追加も容易に可能である。また、水草が一本抜けても次々と抜け落ちることはなく、器具の再使用も可能である。」
というものである。
【０００３】
しかしながら、特許文献１では、大掛かりな構造になり、ピンセットで作業することを意図せず（そもそも使用することができず）、水草の移植が大雑把で、煩雑なものになってしまう。また、移植した水草の細かな位置調整は容易ではない。また、狭い箇所への配置、密集移植なども制限される。
【０００４】
他方、ピンセットで、水草をはさみ、水槽底部の底床に、埋め込むだけでは、水草がキズつき、水草の浮力により抜けやすい。また、観賞魚が水草に接触、ついばむことにより、根が活着前であるので一層抜けやすい。
【先行技術文献】
【特許文献】
【０００５】
【特許文献１】特開２００８−１３６４６９号公報
【考案の概要】
【考案が解決しようとする課題】
【０００６】
そこで、本考案は、水槽底部の底床に、水草をキズ付けることなく、また浮かせることなく、容易に保持させることができ、さらに繊細なレイアウトでの植え込みも可能な、水草移植具を提供する。
【課題を解決するための手段】
【０００７】
本考案は、上記の課題を解決するために、
（１）
水草を保持し、水槽の底床に埋設される板材と、
前記板材から上方に突出しピンセットで挟持される突起と、
からなることを特徴とする水草移植具。
（２）  
前記板材が、水草を挿通、係止させる穴と、側面から前記穴まで連通する切れ込みを備えることを特徴とする（１）に記載の水草移植具。
（３）
前記板材及び突起の素材が、生分解性プラスチックであることを特徴とする（１）又は（２）に記載の水草移植具。
（４）
前記生分解性プラスチックに、粉末又は粒状の水草用肥料が混在していることを特徴とする（３）に記載の水草移植具。
の構成とした。
【考案の効果】
【０００８】
本考案である水草移植具は上記構成であるので、水槽底部の底床に、水草をキズ付けることなく、また浮かせることなく、容易に移植、保持活着させることができる。また、ピンセットを用いるものであるので、微妙な位置調整、岩の隙間への植え込み、密集植え込みなど繊細なレイアウトでの植え込みも可能である。したがって、本考案の水草移植具は、植え込まれた水草の発根、活着までの、仮根といえる。
【０００９】
加えて、水草移植具が生分解性プラスチック素材であれば、水草が活着後に、いずれ分解され水槽の景観を損ねることがなく、取り出し作業が不要で、水草の生育を阻害することなく、環境にも優しい。なお、水草用肥料を生分解性プラスチックに混在させてなる水草移植具であれば、水草用肥料が経時的に水槽水に溶出し水草の肥料成分になるとともに、肥料の溶出でポーラスな水草移植具となって、生分解速度が速まることとなる。
【図面の簡単な説明】
【００１０】
【図１】本考案である水草移植具の一例の六面図である。（Ａ）が正面図、（Ｂ）が平面図、（Ｃ）が左側面図、(Ｄ)が右側面図、（Ｅ）底面図、（Ｆ）が背面図である。
【図２】図１（Ｂ）における、Ａ−Ａ‘断面図である。
【図３】本考案である水草移植具の一例の使用方法の説明模式図である。
【図４】本考案である水草移植具の一例の使用方法の説明模式図である。
【図５】本考案である水草移植具の一例の使用方法の説明模式図である。
【図６】本考案である水草移植具の一例の使用方法の説明模式図である。
【図７】本考案である水草移植具の一例の使用方法の説明模式図である。
【図８】本考案である水草移植具の一例の使用方法の説明模式図である。
【図９】移植後、活着した水草の状態を示す部分断面図である。
【図１０】本考案である水草移植具の第二の実施形態の六面図である。（Ａ）が正面図、（Ｂ）が平面図、（Ｃ）が左側面図、(Ｄ)が右側面図、（Ｅ）底面図、（Ｆ）が背面図である。
【図１１】本考案である水草移植具の第三の実施形態の説明図である。
【考案を実施するための形態】
【００１１】
以下、添付の図面を参照し、本考案の実施の形態の一例について詳細に説明する。なお、本考案は下記実施例に限定されるものではない。
【実施例１】
【００１２】
図１−２に示すように、本考案の水草移植具１は、板材２と突起３からなり、水槽底部に敷かれる素材、例えば砂、砂利、ガラス等の底床に、水草をキズ付けることなく、また浮かせることなく、容易に移植、保持、活着させることができる。また、繊細なレイアウトでの植え込みも可能になる。
【００１３】
板材２は、水草を挿通、係止させる穴２ａと、側面から穴２ａまで連通する切れ込み２ｂと、必要に応じて、切れ込み２ｂに拡張部２ｃを備え、水草を保持し、水槽の底床に埋設される。
【００１４】
拡張部２ｃは、水草を穴２ａに入れやすくすることができるガイド、幅となる。切れ込み２ｂの左右の板材２をねじることで、切れ込み２ｂが広がり水草を痛めることなく切れ込み２ｂを通して穴２ａに位置することができる。
【００１５】
板材２は、水草の浮力が加わっても浮上することがない形状、大きさ（面積）であれば特に限定されない。板材２の形状、大きさは、水草の種類、本数に応じて、適宜選択すればよい。ここでは、平面視円形としたが、楕円、四角形、三角形、その他多角形、キャラクター形状など特に限定されない。
【００１６】
穴２ａも水草を挿通、係止できれば、平面視円形に限定されるものではない。穴２ａの異なる径を用意すれば、水草の茎の太さ、本数に応じて、適切なものを選択することができる。
【００１７】
突起３は、板材２から上方に突出しピンセットで挟持される。その形状は、ピンセットで挟持可能であれば特に限定されない。
【００１８】
水草移植具１の素材として、微生物分解性の高い、生分解性素材、例えば生分解性プラスチック製とすれば、水草活着後、水草移植具１を取り出す必要がなく、いずれ分解し、水草の生育を阻害せず、景観もなんら損なうことがない。
【００１９】
生分解性プラスチックとしては、バイオマス由来、例えばデンプン、石油由来が知られている。それらは、金型成形で、大量生産も可能である。
【００２０】
次に、図３−９を参照して、本発明の水草移植具１の使用方法を説明する。
【００２１】
図３（Ａ）に示す、水草移植具１の板材２を上下（白抜き矢印方向）に撚ることで、図３（Ｂ）のように切れ込み２ｂが拡張し、図３（Ｃ）に示すような水草４の茎部４ａを痛めることなく通しやすくなる。そして、図４に示すように、茎部４ａを板材２の穴２ａに係止する。水草の種類によっては板材２の下側に葉を位置させることで抜けを一層防止できる。また、板材２の下側に抜け防止の穴２ａの径より大きいストッパーを付けてもよい。水草移植具１は、切れ込み２ｂを拡張できるような変形が可能な素材、板厚にすることが望ましい。
【００２２】
その後、図５に示すように、突起３をピンセット７でつまみ、板材２を斜めに底床６に押し込み、埋める。そして、図６のように、板材２を略水平に整える。
【００２３】
つづいて、ピンセット７を引き抜くと、図７のように茎部４ａが板材２の穴２ａに係止され、板材２が底床６に保持され、底床６の重みで板材２の抜けが阻止され、水草４を浮上させることがない。
【００２４】
図７の状態をしばらく維持すると、図８に示すように、水草の種類によっては、水草４の成長に伴い、根４ｂが発根し、底床６に広がり、板材２がなくとも水草４は底床６に安定して保持される。
【００２５】
さらに、長期間維持すると、水草移植具１が、生分解性プラスチック製であれば、図９のように、水草移植具１は微生物により分解され消滅し、水草４の生育を阻害せず、底床６が移動するなどしても、見えることなく、水槽５の景観を損ねることもない。
【００２６】
なお、生分解性プラスチックに、粉末又は粒状の水草用肥料を混在させることで、生分解性プラスチックの分解に伴い徐々に、水草用肥料が水槽の水に溶出し水草の肥料成分になるとともに、水草用肥料の混在部後は空隙となり、全体的にポーラス（多孔質）な生分解性プラスチックの水草移植具となり、空隙に微生物が着床、増殖し、水草移植具の分解速度を速めることができる。水草用肥料の水草移植具に占める混在量は、成形の容易さ、十分な強度の関係から、全体重量の３０重量％以下とすることが望ましい。
【００２７】
また、水草用肥料の粒としては、溶解前の生分解性プラスチックペレットと同じ粒径、形状が好ましく、さらに密度を一致させることで、溶解前の均一なブレンド、ひいては生分解性プラスチック内に水草用肥料の粒の均一混在が容易に可能になる。
【００２８】
水草用肥料としては、既存の水草用の肥料で、粉末、粒化できるものであればよい。水草用肥料の粉末、粒は、肥料成分のみで形成されても、生分解性の賦形材を用いて成形されてもよい。
【実施例２】
【００２９】
図１０に示すように、実施例１の板材２において、耳形状２ｅを設けた板材２ｄとして、ネコのキャラクター形状の水草移植具１ａとして、バラエティー化することもできる。
【実施例３】
【００３０】
また、図１１に示すように、本考案には、板材２ｆに切り込みを設けることなく、穴２ｇだけとした水草移植具１ｂも含まれる。束ねる水草本数が少ない場合、水草が細い場合などに有効である。このとき、水草４ｃの茎部４ａを穴２ｇに通し、葉４ｄの一部を板材２ｆの下に位置させることで水草４ｃの抜け防止になる。他方、穴２ｇを通した茎部４ａに抜け防止のクリップなど付けてもよい。
【符号の説明】
【００３１】
１    水草移植具
１ａ  水草移植具
１ｂ  水草移植具
２    板材
２ａ  穴
２ｂ  切れ込み
２ｃ  拡張部
２ｄ  板材
２ｅ  耳形状
２ｆ  板材
２ｇ  穴
３    突起
４    水草
４ａ  茎部
４ｂ  根
４ｃ  水草
４ｄ  葉
５    水槽
６    底床
７    ピンセット
【図１】
0003223684.tif 000003
【図２】
0003223684.tif 000004
【図３】
0003223684.tif 000005
【図４】
0003223684.tif 000006
【図５】
0003223684.tif 000007
【図６】
0003223684.tif 000008
【図７】
0003223684.tif 000009
【図８】
0003223684.tif 000010
【図９】
0003223684.tif 000011
【図１０】
0003223684.tif 000012
【図１１】
0003223684.tif 000013